Podtech/llm-jp-corpus-v4-ja_patent huggingface dataset:
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
各々のユーザにより操作される複数のユーザ端末を含むゲームシステムであって、
１種類以上のゲーム媒体を複数のユーザに付与可能な状態に設定するゲーム媒体設定手段と、
複数のユーザに付与可能な状態に設定されたゲーム媒体をユーザに提示するゲーム媒体提示手段と、
複数のユーザに付与可能なゲーム媒体の数に、所定の上限を設定する上限設定手段と、
ゲーム媒体設定手段により設定されたゲーム媒体のうちユーザが付与を希望するゲーム媒体を、課金と引き換えに、又は課金によりユーザに付与されるゲーム内アイテムと引き換えに、所定の上限を超えない範囲でユーザに付与するゲーム媒体付与手段と、
ゲーム媒体付与手段により複数のユーザに付与したゲーム媒体の総数、又は複数のユーザに付与可能なゲーム媒体の残数を、ユーザに提示するゲーム媒体数提示手段と
を備えるゲームシステム。
【請求項２】
ゲームシステムが、さらに、
所定の分類基準に基づいて、複数のユーザを複数のグループに分類するグループ分類手段
を備え、
ゲーム媒体設定手段が、グループごとに、異なるゲーム媒体をユーザに付与可能な状態に設定可能なものであり、
ゲーム媒体設定手段が、所定の数のゲーム媒体を複数のユーザに付与可能な状態に設定するものである、請求項１に記載のゲームシステム。
【請求項３】
ゲーム媒体設定手段が、所定の期間の経過によって、ユーザに付与可能なゲーム媒体の種類を再設定する、請求項１又は２に記載のゲームシステム。
【請求項４】
上限設定手段が、所定の期間の経過によって、複数のユーザに付与可能なゲーム媒体の数の上限を再設定する、請求項１〜３のいずれかに記載のゲームシステム。
【請求項５】
グループ分類手段が、ユーザのゲームのプレイ結果に応じてユーザに付与されるランキングに基づいて、複数のユーザを複数のグループに分類するものである、
請求項１〜４のいずれかに記載のゲームシステム。
【請求項６】
ゲームシステムが、さらに、
ユーザからの要求に応じて、ユーザが所有するゲーム媒体を売却する売却手段と、
ユーザが売却したゲーム媒体を他のユーザに付与する、媒体販売手段と
を備える、請求項１〜５のいずれかに記載のゲームシステム。
【請求項７】
各々のユーザにより操作される複数のユーザ端末を含むゲームシステムにおいて実行されるゲーム制御方法であって、
１種類以上のゲーム媒体を複数のユーザに付与可能な状態に設定し、
複数のユーザに付与可能な状態に設定されたゲーム媒体を、ユーザに提示し、
複数のユーザに付与可能なゲーム媒体の数に、所定の上限を設定し、
付与可能な状態に設定されたゲーム媒体のうち、ユーザが付与を希望するゲーム媒体を、課金と引き換えに、又は課金によりユーザに付与されるゲーム内アイテムと引き換えに、所定の上限を超えない範囲でユーザに付与し、
複数のユーザに付与したゲーム媒体の総数、又は複数のユーザに付与可能なゲーム媒体の残数をユーザに提示する、ゲーム制御方法。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
所定の始動条件の成立を契機として情報を取得する取得手段と、その取得手段により取得された情報に基づいて判定を行う判定手段と、その判定手段による判定結果に基づいて表示手段に識別情報の動的表示を実行させる動的表示実行手段と、を備え、その動的表示実行手段により実行される前記識別情報の動的表示において所定の識別情報が現出された場合に、遊技者に所定の遊技価値を付与する遊技機において、
前記取得手段により取得される情報を少なくとも前記判定手段による判定に用いられるまで所定の数を上限として記憶する記憶手段と、
その記憶手段に記憶されている情報のそれぞれに基づいて実行される前記識別情報の動的表示のうち少なくとも所定回数までの識別情報の動的表示について、前記所定の識別情報が現出される識別情報の動的表示があるか否かを判断する判断手段と、
遊技者による操作が可能な操作手段と、
その操作手段に対して所定の操作がなされたことを検出する検出手段と、
その検出手段により前記操作手段に対して所定の操作がなされたことが検出された場合に、その操作がされている間に前記判断手段による判断結果に基づいて報知可能な報知手段と、を備えることを特徴とする遊技機。
【請求項２】
前記遊技機は、パチンコ遊技機であることを特徴とする請求項１記載の遊技機。
【手続補正２】
【補正対象書類名】明細書
【補正対象項目名】０００４
【補正方法】変更
【補正の内容】
【０００４】
変動演出が保留されていると、その保留されている変動演出の中に当たりとなる変動演出が存在する可能性がある。遊技者の中には、保留されている変動演出に関わる情報を、遊技者にとって適切なタイミングで把握したいとの要望がある。
【手続補正３】
【補正対象書類名】明細書
【補正対象項目名】０００５
【補正方法】変更
【補正の内容】
【０００５】
本発明は、上記例示した問題点等を解決するためになされたものであり、保留されている識別情報の動的表示に関わる情報を好適に報知できる遊技機を提供することを目的とする。
【手続補正４】
【補正対象書類名】明細書
【補正対象項目名】０００６
【補正方法】変更
【補正の内容】
【０００６】
この目的を達成するために請求項１記載の遊技機は、所定の始動条件の成立を契機として情報を取得する取得手段と、その取得手段により取得された情報に基づいて判定を行う判定手段と、その判定手段による判定結果に基づいて表示手段に識別情報の動的表示を実行させる動的表示実行手段と、を備え、その動的表示実行手段により実行される前記識別情報の動的表示において所定の識別情報が現出された場合に、遊技者に所定の遊技価値を付与するものであって、前記取得手段により取得される情報を少なくとも前記判定手段による判定に用いられるまで所定の数を上限として記憶する記憶手段と、その記憶手段に記憶されている情報のそれぞれに基づいて実行される前記識別情報の動的表示のうち少なくとも所定回数までの識別情報の動的表示について、前記所定の識別情報が現出される識別情報の動的表示があるか否かを判断する判断手段と、遊技者による操作が可能な操作手段と、その操作手段に対して所定の操作がなされたことを検出する検出手段と、その検出手段により前記操作手段に対して所定の操作がなされたことが検出された場合に、その操作がされている間に前記判断手段による判断結果に基づいて報知可能な報知手段と、を備える。
【手続補正５】
【補正対象書類名】明細書
【補正対象項目名】０００７
【補正方法】変更
【補正の内容】
【０００７】
請求項２記載の遊技機は、請求項１記載の遊技機において、前記遊技機は、パチンコ遊技機である。
【手続補正６】
【補正対象書類名】明細書
【補正対象項目名】０００８
【補正方法】変更
【補正の内容】
【０００８】
本発明の遊技機によれば、所定の始動条件の成立を契機として情報を取得する取得手段と、その取得手段により取得された情報に基づいて判定を行う判定手段と、その判定手段による判定結果に基づいて表示手段に識別情報の動的表示を実行させる動的表示実行手段と、を備え、その動的表示実行手段により実行される前記識別情報の動的表示において所定の識別情報が現出された場合に、遊技者に所定の遊技価値を付与するものであって、前記取得手段により取得される情報を少なくとも前記判定手段による判定に用いられるまで所定の数を上限として記憶する記憶手段と、その記憶手段に記憶されている情報のそれぞれに基づいて実行される前記識別情報の動的表示のうち少なくとも所定回数までの識別情報の動的表示について、前記所定の識別情報が現出される識別情報の動的表示があるか否かを判断する判断手段と、遊技者による操作が可能な操作手段と、その操作手段に対して所定の操作がなされたことを検出する検出手段と、その検出手段により前記操作手段に対して所定の操作がなされたことが検出された場合に、その操作がされている間に前記判断手段による判断結果に基づいて報知可能な報知手段と、を備えるので、保留されている識別情報の動的表示に関わる情報を好適に報知できるという効果がある。
【手続補正７】
【補正対象書類名】明細書
【補正対象項目名】０００９
【補正方法】削除
【補正の内容】
【手続補正８】
【補正対象書類名】明細書
【補正対象項目名】０８２４
【補正方法】変更
【補正の内容】
【０８２４】
なお、上記実施形態に記載の「第１入球口６４」への「入球」が特許請求の範囲の「所定の始動条件」に対応し、上記実施形態に記載の「カウンタＣ１〜Ｃ３，ＣＳ１の値」が特許請求の範囲の「取得手段」により取得される「情報」に対応し、上記実施形態に記載の「第３図柄」が特許請求の範囲に記載の「識別情報」に対応し、上記実施形態に記載の「変動演出」が特許請求の範囲に記載の「識別情報の動的表示」に対応し、上記実施形態に記載の「大当たり図柄」が特許請求の範囲に記載の「所定の識別情報」に対応し、上記実施形態に記載の「大当たり」が特許請求の範囲に記載の「所定の遊技価値」に対応する。
（その他）
パチンコ機等の遊技機では、液晶表示装置等の表示手段にて図柄等の変動表示（変動演出）が行われる間に、球等の遊技媒体が始動入賞口に入り始動入賞が検出されると、所定の数を上限として、その始動入賞に係る変動演出が保留されるものがある。実行中の変動演出が終了すると、保留された未実行の変動演出のうち最先に検出された始動入賞に係る変動演出の実行が開始される（例えば、特許文献１：特開２００３−３４００４６号公報）。
従来の遊技機では、遊技者が遊技を止めて退席しようとする場合や、遊技の途中で携帯電話による通話やメール等といった用件を済ませたい場合に、変動演出が保留されていると、その保留されている変動演出の中に当たりとなる変動演出が存在する可能性があるため、遊技者は即座に遊技を止めて退席したり、遊技の途中で用件を始めたりすることがしづらいという問題点がある。
本技術的思想は、上記例示した問題点等を解決するためになされたものであり、遊技を即座に止めてもよいか否かを遊技者に容易に判断させることができる遊技機を提供することを目的とする。
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられた始動入賞口と、
前記始動入賞口への入球を契機として当否判定を実行する当否判定手段と、
前記当否判定の結果が当りとなった場合に、通常遊技より遊技者に有利な状態である特別遊技を実行する特別遊技制御手段と、
前記当否判定の結果を示すための図柄が変動表示される図柄表示装置と、
前記図柄の変動表示における変動パターンを決定するための選択基準を参照して、前記当否判定の結果に応じて変動パターンを決定する変動パターン決定手段と、
前記変動パターン決定手段により決定された変動パターンにしたがって、前記図柄を前記図柄表示装置に変動表示させる図柄表示制御手段と、
演出の画像が表示される演出表示装置と、
前記演出表示装置に表示する演出を決定する演出決定手段と、
前記演出決定手段により決定された演出の画像を前記演出表示装置に表示させる演出制御手段と、
を備え、
前記演出決定手段により決定された演出の実行中に、前記当否判定の結果が当りである期待度を示唆する予告演出と前記当否判定の結果が当りである期待度が高いことを示唆する特殊演出の一方又は双方を実行可能であり、
前記予告演出において表示される予告演出画像は、第１態様、及び、前記第１態様とは異なる第２態様にて表示可能であり、
前記予告演出画像が前記第１態様にて表示される場合は、前記予告演出画像により前記当否判定の結果が当りである期待度が示唆され、前記予告演出画像が前記第２態様にて表示される場合は、前記予告演出画像により前記特殊演出が実行される可能性があることが示され、
前記当否判定の結果が当りとなる場合の方が、前記当否判定の結果が当りとならない場合よりも、前記特殊演出が実行され易い弾球遊技機。
【手続補正２】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、前記遊技領域の所定位置に設けられた始動入賞口と、前記始動入賞口への入球を契機として当否判定を実行する当否判定手段と、前記当否判定の結果が当りとなった場合に、通常遊技より遊技者に有利な状態である特別遊技を実行する特別遊技制御手段と、前記当否判定の結果を示すための図柄が変動表示される図柄表示装置と、前記図柄の変動表示における変動パターンを決定するための選択基準を参照して、前記当否判定の結果に応じて変動パターンを決定する変動パターン決定手段と、前記変動パターン決定手段により決定された変動パターンにしたがって、前記図柄を前記図柄表示装置に変動表示させる図柄表示制御手段と、演出の画像が表示される演出表示装置と、前記演出表示装置に表示する演出を決定する演出決定手段と、前記演出決定手段により決定された演出の画像を前記演出表示装置に表示させる演出制御手段と、を備え、前記演出決定手段により決定された演出の実行中に、前記当否判定の結果が当りである期待度を示唆する予告演出と前記当否判定の結果が当りである期待度が高いことを示唆する特殊演出の一方又は双方を実行可能であり、前記予告演出において表示される予告演出画像は、第１態様、及び、前記第１態様とは異なる第２態様にて表示可能であり、前記予告演出画像が前記第１態様にて表示される場合は、前記予告演出画像により前記当否判定の結果が当りである期待度が示唆され、前記予告演出画像が前記第２態様にて表示される場合は、前記予告演出画像により前記特殊演出が実行される可能性があることが示され、前記当否判定の結果が当りとなる場合の方が、前記当否判定の結果が当りとならない場合よりも、前記特殊演出が実行され易い、ことを特徴とする。
【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて当落を判定し、特別図柄の変動表示を開始させ、所定の変動時間が経過すると前記特別図柄の変動表示を停止させて前記当落を提示する遊技制御手段と、
前記遊技制御手段からのコマンドにより、所定の演出表示装置にて前記当落に応じた変動演出動画を表示する変動演出表示手段と、を備え、
前記変動演出表示手段は、
前記演出表示装置に対して前記変動演出動画を表示する際に生成した描画データのうち一部の描画データをその後の前記変動演出動画を表示する際に再利用し、前記その後の前記変動演出動画において、前記一部の描画データに基づく特定の素材画像を背景又は前景として複数配置させた表示態様の前記変動演出動画を前記演出表示装置に表示させる
ことを特徴とする遊技機。
【手続補正２】
【補正対象書類名】明細書
【補正対象項目名】０００５
【補正方法】変更
【補正の内容】
【０００５】
そこで、本発明は、互いに表示態様が類似する映像を表示させる際に効率良く描画処理を実施することを目的とする。
【手続補正３】
【補正対象書類名】明細書
【補正対象項目名】０００６
【補正方法】変更
【補正の内容】
【０００６】
上述した目的を達成するため、本発明は、始動口への遊技球の入球に基づいて当落を判定し、特別図柄の変動表示を開始させ、所定の変動時間が経過すると前記特別図柄の変動表示を停止させて前記当落を提示する遊技制御手段と、
前記遊技制御手段からのコマンドにより、所定の演出表示装置にて前記当落に応じた変動演出動画を表示する変動演出表示手段と、を備え、
前記変動演出表示手段は、
前記演出表示装置に対して前記変動演出動画を表示する際に生成した描画データのうち一部の描画データをその後の前記変動演出動画を表示する際に再利用し、前記その後の前記変動演出動画において、前記一部の描画データに基づく特定の素材画像を背景又は前景として複数配置させた表示態様の前記変動演出動画を前記演出表示装置に表示させる
ことを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明に係る遊技機によれば、互いに表示態様が類似する映像を表示させる際に効率良く描画処理を実施することができる。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
患者の眼の前面を覆うキャビティ内の流体の湿度レベルを制御するための装置であって、前記装置は、
エンクロージャであって、患者の眼の前面を覆う前記キャビティであって患者の眼に接触する流体を収容するように構成されたキャビティを形成するようにサイズ化され、形状化された前記エンクロージャと、
前記キャビティと連通し、かつ同キャビティの湿度レベルの指標を検知するように構成された湿度センサと、
を含み、
前記湿度センサは、前記キャビティにある流体の湿度レベルを制御するように構成されたプロセッサ回路と連通している、
装置。
【請求項２】
前記キャビティと流体連通状態にあり、かつ同キャビティの湿度レベルを調整するように構成された圧力源を含む、請求項１に記載の装置。
【請求項３】
前記圧力源は、湿度を調整するように構成されたフィルタを含む、請求項２に記載の装置。
【請求項４】
前記キャビティにある流体の湿度レベルを調節するべく前記フィルタへの流体の流れを調節するように構成されたスライドバルブを含む、請求項３に記載の装置。
【請求項５】
請求項４に記載の装置は、前記スライドバルブに取り付けられたアクチュエータを含み、同アクチュエータは、前記プロセッサ回路と通信する、装置。
【請求項６】
前記エンクロージャは、前記キャビティを周囲環境から隔離するとともに前記キャビティ内の結露を制御するウィッキングガスケットを含む、請求項１に記載の装置。
【請求項７】
前記ウィッキングガスケットは、前記エンクロージャのキャビティから凝縮液を吸収するように構成されたウィッキングコアと、前記ウィッキングコアを包囲するとともに前記ウィッキングガスケットを通る凝縮液の移動速度を制御するように構成されたコアカバーと、を含む、請求項６に記載の装置。
【請求項８】
前記コアカバーは前記ウィッキングガスケットを通る凝縮液の移動速度を制御するように選択された多孔性材料から構成されている、請求項７に記載の装置。
【請求項９】
前記ウィッキングコアは第１の表面を含み、前記コアカバーは、前記第１の表面を実質的に包囲するように構成されている、請求項７に記載の装置。
【請求項１０】
前記コアカバーは、前記ウィッキングコアを前記周囲環境と連通して配置するべく、同コアカバーを貫通して延びる収容穴を含む、請求項７に記載の装置。
【請求項１１】
前記ウィッキングガスケットは、吸引チューブを含む、請求項７に記載の装置。
【請求項１２】
前記吸引チューブは、前記コアカバーに取り付けられており、かつ前記吸引チューブの内腔は前記ウィッキングコアと連通している、請求項１１に記載の装置。
【請求項１３】
前記ウィッキングガスケットは前記吸引チューブに取り付けられた凝縮液ポンプを含む、請求項１１に記載の装置。
【請求項１４】
前記凝縮液ポンプは、前記キャビティから凝縮液を除去するために、前記ウィッキングコアを介して前記キャビティ内の凝縮液を引き込むために負の圧力を生成するように構成されている、請求項１３に記載の装置。
【請求項１５】
前記吸引チューブは圧力源に取り付けられている、請求項１１に記載の装置。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
所定の画像をゲーム中に再現するための所定の情報を記録媒体から取得し、取得した前記所定の情報に基づいて前記ゲーム中に再現された前記所定の画像を前記ゲームの進行に利用するゲーム機であって、
前記ゲームをプレイする各プレイヤを識別するための情報として前記所定の画像に関連付けられるプレイヤ情報、及び前記所定の情報を、前記記録媒体に表示された一のコードを読み取ることで取得する情報取得手段と、
各記録媒体の前記所定の情報に基づいて、複数の所定の画像を前記ゲーム中に再現する画像再現手段と、を備える、
ゲーム機。
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
一般式（１）で表される、テトラアザトリフェニレン化合物（ただし、下記一般式（１ａ）で表されるテトラアザトリフェニレン化合物は除く）。
【化１】
2020074357.tif 000001
（式中、Ｘ、Ｙは相互に同一でも異なってもよく、置換もしくは無置換のカルバゾリル基
、フェノキサジニル基、フェノチアジニル基、アクリジニル基、フェナジニル基、または
芳香族炭化水素基、芳香族複素環基もしくは縮合多環芳香族基から選ばれる基によって置
換されたジ置換アミノ基を表し、Ｒ１〜Ｒ２、Ｒ５〜Ｒ８は相互に同一でも異なってもよ
く、水素原子、重水素原子、フッ素原子、塩素原子、シアノ基、ニトロ基、置換基を有し
ていてもよい炭素原子数１ないし６の直鎖状もしくは分岐状のアルキル基、置換基を有し
ていてもよい炭素原子数５ないし１０のシクロアルキル基、置換基を有していてもよい炭
素原子数２ないし６の直鎖状もしくは分岐状のアルケニル基、置換基を有していてもよい
炭素原子数１ないし６の直鎖状もしくは分岐状のアルキルオキシ基、置換基を有していて
もよい炭素原子数５ないし１０のシクロアルキルオキシ基、置換もしくは無置換の芳香族
炭化水素基、置換もしくは無置換の芳香族複素環基、置換もしくは無置換の縮合多環芳香
族基、置換もしくは無置換のアリールオキシ基、または芳香族炭化水素基、芳香族複素環
基もしくは縮合多環芳香族基から選ばれる基によって置換されたジ置換アミノ基であって
、隣り合う基同士で、単結合、置換もしくは無置換のメチレン基、酸素原子または硫黄原
子を介して互いに結合して環を形成してもよい。）
【請求項２】
前記請求項１記載のテトラアザトリフェニレン化合物からなる発光材料。
【請求項３】
一対の電極とその間に挟まれた少なくとも一層の有機層を有する有機エレクトロルミネッセンス素子において、請求項１記載のテトラアザトリフェニレン化合物が、少なくとも１つの有機層の構成材料として用いられていることを特徴とする有機エレクトロルミネッセンス素子。
【請求項４】
前記した有機層が発光層である請求項３記載の有機エレクトロルミネッセンス素子。
【請求項５】
前記した有機層が電子輸送層である請求項３記載の有機エレクトロルミネッセンス素子。
【請求項６】
前記した有機層が正孔阻止層である請求項３記載の有機エレクトロルミネッセンス素子。
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
ＬＥＤを光源として表側に光を照射する光源部と前記光源部を支持する支持部とを備え、埋込み用の開口が設けられた設置面に前記光源部と前記支持部の裏側部分が埋め込まれて取り付けられる照明装置において、
前記光源部はＬＥＤユニットとヒートシンクと反射体とを備え、
前記支持部は、前記設置面の裏側に位置する裏側リングと、前記設置面の表側に位置する表側リングと、前記裏側リングと前記表側リングとを連結する連結具とを備え、
前記ＬＥＤユニットは前記ヒートシンクの表側に取り付けられ、
前記ヒートシンクは前記裏側リングに取り付けられ、
前記表側リングの外径は、前記裏側リングの外径よりも大きく、
前記連結具は、前記表側リングとの固定位置から前記裏側リングとの固定位置の間で屈曲部を有している
照明装置。
【請求項２】
前記裏側リングの内周径は前記反射体の外径よりも小さい
請求項１に記載の照明装置。
【請求項３】
前記裏側リングは、前記裏側リングの周方向に間隔をおいた部位から表側に延伸する延伸片を介して取り付けられている
請求項２に記載の照明装置。
【請求項４】
前記反射体は、筒状の反射部と、前記反射部から裏側に延伸する延伸部分とを有し、前記延伸部分と前記延伸片を固定する
請求項３に記載の照明装置。
【請求項５】
前記延伸片は前記反射体の前記延伸部分の外周側に位置する
請求項４に記載の照明装置。
【請求項６】
前記表側リングは内周の縁部に第１段差部を有し、前記反射体は、前記反射部の表側端に形成された外鍔部分を有し、当該外鍔部分が前記第１段差部に接触しない状態で、前記裏側リングに取り付けられている
請求項４又は５に記載の照明装置。
【手続補正２】
【補正対象書類名】明細書
【補正対象項目名】０００８
【補正方法】変更
【補正の内容】
【０００８】
本発明の一態様に係る照明装置は、ＬＥＤを光源として表側に光を照射する光源部と前記光源部を支持する支持部とを備え、埋込み用の開口が設けられた設置面に前記光源部と前記支持部の裏側部分が埋め込まれて取り付けられる照明装置において、前記光源部はＬＥＤユニットとヒートシンクと反射体とを備え、前記支持部は、前記設置面の裏側に位置する裏側リングと、前記設置面の表側に位置する表側リングと、前記裏側リングと前記表側リングとを連結する連結具とを備え、前記ＬＥＤユニットは前記ヒートシンクの表側に取り付けられ、前記ヒートシンクは前記裏側リングに取り付けられ、前記表側リングの外径は、前記裏側リングの外径よりも大きく、前記連結具は、前記表側リングとの固定位置から前記裏側リングとの固定位置の間で屈曲部を有している。
一態様に係る照明装置において、前記裏側リングの内周径は前記反射体の外径よりも小さい。一態様に係る照明装置において、前記裏側リングは、前記裏側リングの周方向に間隔をおいた部位から表側に延伸する延伸片を介して取り付けられている。
一態様に係る照明装置において、前記反射体は、筒状の反射部と、前記反射部から裏側に延伸する延伸部分とを有し、前記延伸部分と前記延伸片を固定する。一態様に係る照明装置において、前記延伸片は前記反射体の前記延伸部分の外周側に位置する。一態様に係る照明装置において、前記表側リングは内周の縁部に第１段差部を有し、前記反射体は、前記反射部の表側端に形成された外鍔部分を有し、当該外鍔部分が前記第１段差部に接触しない状態で、前記裏側リングに取り付けられている。
明細書の一態様に係る照明装置は、ＬＥＤを光源として表側に光を照射する光源部と前記光源部を支持する支持部とを備え、埋込み用の開口が設けられた設置面に前記光源部と前記支持部の裏側部分が埋め込まれて取り付けられる照明装置において、前記光源部はＬＥＤユニットとヒートシンクとを少なくとも備え、前記支持部は、前記設置面の裏側に位置する裏側リングと、前記設置面の表側に位置する表側リングと、前記裏側リングと前記表側リングとを連結する連結具とを備え、前記ＬＥＤユニットは前記ヒートシンクの表側に取り付けられ、当該ヒートシンクは前記裏側リングに取り付けられている。
明細書の別態様に係る照明装置において、前記光源部は、前記ＬＥＤから出射された光を反射させる筒状の反射体を有し、前記反射体は、前記裏側リングに取り付けられている。これにより、反射体とＬＥＤユニットとが裏側リングに取り付けられ、両者の位置決めを容易に行うことができる。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
第１半導体ウエハと、前記第１半導体ウエハに重なった第２半導体ウエハと、前記第１半導体ウエハと前記第２半導体ウエハとの間に介在した導電体層および絶縁体層と、を含み、前記第２半導体ウエハの表面に半導体素子が設けられた複合部材を用意し、前記第２半導体ウエハを薄化する薄化工程と、
前記第２半導体ウエハの厚みが、前記第１半導体ウエハの前記第２半導体ウエハとは反対側の裏面と前記第２半導体ウエハの前記表面との間の距離よりも大きい状態で、前記複合部材を分割する分割工程と、を有することを特徴とする半導体デバイスの製造方法。
【請求項２】
前記分割工程における前記第２半導体ウエハの厚みが５００μｍ未満である、請求項１に記載の製造方法。
【請求項３】
前記分割工程において、前記第２半導体ウエハの前記厚みが、前記第１半導体ウエハの厚みの１０倍以上１００倍以下である、請求項１または２に記載の製造方法。
【請求項４】
前記第２半導体ウエハはシリコンウエハであり、前記分割工程における前記第２半導体ウエハの前記厚みが２０μｍ以上かつ４００μｍ以下である、請求項１乃至３のいずれか１項に記載の製造方法。
【請求項５】
前記分割工程における前記第２半導体ウエハの前記厚みが５０μｍより大きい、請求項１乃至４のいずれか１項に記載の製造方法。
【請求項６】
前記分割工程における前記第１半導体ウエハの厚みが１０μｍ以下であり、前記分割工程における前記第２半導体ウエハの前記厚みが１００μｍ以上である、請求項１乃至５のいずれか１項に記載の製造方法。
【請求項７】
前記薄化工程では、機械研磨法を用いて前記第２半導体ウエハを薄化した後に、化学機械研磨法を用いて前記第２半導体ウエハを薄化し、前記分割工程における前記第２半導体ウエハの厚みが３００μｍ未満である、請求項１乃至６のいずれか１項に記載の製造方法。
【請求項８】
前記第１半導体ウエハおよび前記第２半導体ウエハの直径は１５０ｍｍ以上である、請求項１乃至７のいずれか１項に記載の製造方法。
【請求項９】
前記複合部材は、前記第１半導体ウエハの上に設けられた膜を含み、前記膜の厚みが前記第１半導体ウエハと前記第２半導体ウエハとの間の距離よりも小さい、請求項１乃至８のいずれか１項に記載の製造方法。
【請求項１０】
前記分割工程において、前記膜の前記厚みと前記第１半導体ウエハの厚みとの和が、前記第２半導体ウエハの前記厚みよりも小さい、請求項９に記載の製造方法。
【請求項１１】
前記分割工程では、前記第１半導体ウエハの側から前記複合部材を分割する、請求項１乃至１０のいずれか１項に記載の製造方法。
【請求項１２】
前記分割工程では、レーザーダイシング法を用いる、請求項１乃至１１のいずれか１項に記載の製造方法。
【請求項１３】
前記半導体デバイスは、前記第１半導体ウエハの一部である第１半導体基板を備え、前記第１半導体基板は光電変換部を有する、請求項１乃至１２のいずれか１項に記載の製造方法。
【請求項１４】
前記半導体デバイスは、前記第２半導体ウエハの一部である第２半導体基板を備え、前記第２半導体基板は信号処理部を有する、請求項１乃至１３のいずれか１項に記載の製造方法。
【請求項１５】
前記複合部材は、前記薄化工程の前に、前記第１半導体ウエハとなる部分を含む半導体ウエハを薄化する工程を経ている、請求項１乃至１４のいずれか１項に記載の製造方法。
【請求項１６】
前記複合部材は、前記薄化工程の前に、前記第１半導体ウエハとなる部分を含む第１部材と、前記第２半導体ウエハとなる部分を含む第２部材とを接合する工程を経ている、請求項１乃至１５のいずれか１項に記載の製造方法。
【請求項１７】
前記第１部材は酸化シリコンまたは窒化シリコンからなる第１絶縁体層を含み、
前記第２部材は酸化シリコンまたは窒化シリコンからなる第２絶縁体層を含み、
前記複合部材において、前記第１絶縁体層と前記第２絶縁体層とが直接接合している、請求項１６に記載の製造方法。
【請求項１８】
前記第１部材は第１導電体層を含み、
前記第２部材は第２導電体層を含み、
前記複合部材において、前記第１導電体層と前記第２導電体層とが電気的に接続されている、請求項１６または１７に記載の製造方法。
【請求項１９】
前記第１部材は銅からなる第１導電体層を含み、
前記第２部材は銅からなる第２導電体層を含み、
前記複合部材において、前記第１導電体層と前記第２導電体層とが直接接合している、請求項１６または１７に記載の製造方法。
【請求項２０】
前記複合部材は、前記第１半導体ウエハを貫通する電極を備える、請求項１乃至１８のいずれか１項に記載の製造方法。
【請求項２１】
請求項１乃至２０のいずれか１項に記載の製造方法によって製造された半導体デバイスと、パッケージと、を備える装置の製造方法であって、前記パッケージは前記絶縁体層の熱伝導率よりも高い熱伝導率を有する熱伝導性部材を含み、前記半導体デバイスを前記熱伝導性部材に固定することを特徴とする製造方法。
【請求項２２】
請求項１乃至２０のいずれか１項に記載の製造方法によって製造された半導体デバイスと、パッケージと、を備える装置の製造方法であって、前記半導体デバイスの電極パッドと前記パッケージの端子とをボンディングワイヤによって接続することを特徴とする製造方法。
【手続補正２】
【補正対象書類名】明細書
【補正対象項目名】発明の名称
【補正方法】変更
【補正の内容】
【発明の名称】半導体デバイスおよび装置の製造方法
【手続補正３】
【補正対象書類名】明細書
【補正対象項目名】０００４
【補正方法】変更
【補正の内容】
【０００４】
複数の半導体基板を重ねた状態での分割処理においてチッピングや接合面の剥離を生じる可能性がある。
【手続補正４】
【補正対象書類名】明細書
【補正対象項目名】０００５
【補正方法】変更
【補正の内容】
【０００５】
本発明は、好適に分割工程を行うことができる半導体デバイスの製造方法を提供することを目的とする。
【手続補正５】
【補正対象書類名】明細書
【補正対象項目名】０００６
【補正方法】変更
【補正の内容】
【０００６】
上記課題を解決するための半導体デバイスの製造方法は、第１半導体ウエハと、前記第１半導体ウエハに重なった第２半導体ウエハと、前記第１半導体ウエハと前記第２半導体ウエハとの間に介在した導電体層および絶縁体層と、を含み、前記第２半導体ウエハの表面に半導体素子が設けられた複合部材を用意し、前記第２半導体ウエハを薄化する薄化工程を有する。
【手続補正６】
【補正対象書類名】明細書
【補正対象項目名】０００７
【補正方法】変更
【補正の内容】
【０００７】
上記課題を解決するための半導体デバイスの製造方法は、前記第２半導体ウエハの厚みが、前記第１半導体ウエハの前記第２半導体ウエハとは反対側の裏面と前記第２半導体ウエハの前記表面との間の距離よりも大きい状態で、前記複合部材を分割する分割工程と、を有する。
【手続補正７】
【補正対象書類名】明細書
【補正対象項目名】０００８
【補正方法】変更
【補正の内容】
【０００８】
本発明によれば、好適に分割工程を行うことができる半導体デバイスの製造方法を提供することができる。
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
親油性活性剤の生物学的利用能を高める方法であって、
親油性活性剤を注入した食品を人の体温以上の温度に加熱するステップと、
前記親油性活性剤を注入した食品をヒトである患者に経口投与するステップとを含み、
前記親油性活性剤を注入した食品は、
ａ）治療に効果的な量の親油性活性剤であって、非精神活性カンナビノイドである前記親油性活性剤と、
ｂ）生物学的利用能を高める作用物であって、前記親油性活性剤の生物学的利用能を高める作用物と、茶葉、コーヒー豆、ココアパウダ、肉、魚、果物、野菜、乳製品、豆類、パスタ、パン、穀類、種子、ナッツ、香辛料、及びハーブからなる群から選択される食品と、を含み、
前記親油性活性剤を注入した食品は、
ｉ）前記食品を、前記親油性活性剤及び前記生物学的利用能を高める作用物を含む油と接触させるステップと、
ｉｉ）前記食品を脱水するステップと、
によって製造される、
方法。
【請求項２】
前記生物学的利用能を高める作用物は、保護コロイド、食用の油、又は脂肪であり、親油性活性剤の味をマスクする作用物である、請求項１に記載の方法。
【請求項３】
前記親油性活性剤の味をマスクする作用物は、脱脂粉乳である、請求項１又は２に記載の方法。
【請求項４】
前記生物学的利用能を高める前記作用物は、オメガ６脂肪酸を含まない、請求項１から３のいずれか一項に記載の方法。
【請求項５】
患者における前記親油性活性剤の生物学的利用能は、前記生物学的利用能を高める作用物がない場合の前記患者における前記親油性活性剤の生物学的利用能の少なくとも約１．５倍である、請求項１から４のいずれか一項に記載の方法。
【請求項６】
患者における前記親油性活性剤の生物学的利用能は、２０％を超える、請求項１に記載の方法。
【請求項７】
前記ｉｉ）のステップにおける脱水は、凍結乾燥である、請求項１から６のいずれか一項に記載の方法。
【請求項８】
茶葉、コーヒー豆、又はココアパウダを液体に浸すことにより、前記親油性活性剤を注入した食品を形成する、請求項１に記載の方法。
【請求項９】
親油性活性剤の生物学的利用能を高める方法であって、
親油性活性剤を注入した食品を人の体温以上の温度に加熱するステップと、
前記親油性活性剤を注入した食品をヒトである患者に経口投与するステップとを含み、
前記親油性活性剤を注入した食品は、
ａ）治療に効果的な量の親油性活性剤であって、カンナビノイド、ニコチン、非ステロイド性抗炎症薬、及びビタミンからなる群から選択される前記親油性活性剤と、
ｂ）生物学的利用能を高める作用物であって、前記親油性活性剤の生物学的利用能を高める作用物と、茶葉、コーヒー豆、ココアパウダ、肉、魚、果物、野菜、乳製品、豆類、パスタ、パン、穀類、種子、ナッツ、香辛料、及びハーブからなる群から選択される食品と、を含み、
前記親油性活性剤を注入した食品は、
ｉ）前記食品を、前記親油性活性剤及び前記生物学的利用能を高める作用物を含む油と接触させるステップと、
ｉｉ）前記食品を脱水するステップと、
によって製造される、
方法。
【請求項１０】
前記親油性活性剤を注入した食品は、茶葉、コーヒー豆、又はココアパウダを含む、請求項９に記載の方法。
【請求項１１】
前記親油性活性剤を注入した食品は、茶葉、コーヒー豆、又はココアパウダを液体に浸すことにより得られる、請求項１０に記載の方法。
【請求項１２】
カンナビノイドを注入した茶葉を製造する工程であって、
ｉ）茶葉を、カンナビノイド及び生物学的利用能を高める作用物を含む油と接触させるステップと、
ｉｉ）前記茶葉を脱水するステップと、を含み、
前記カンナビノイドを注入した茶葉は、治療に効果的な量のカンナビノイドを含み、
前記生物学的利用能を高める作用物は、長鎖脂肪酸を含む食用油を含み、
患者における前記カンナビノイドの生物学的利用能は、前記生物学的利用能を高める作用物がない場合の前記患者における前記カンナビノイドの生物学的利用能の少なくとも約１．５倍である、
工程。
【請求項１３】
患者における前記カンナビノイドの生物学的利用能は、前記生物学的利用能を高める作用物がない場合の前記患者における前記カンナビノイドの生物学的利用能の少なくとも約３倍である、請求項１２に記載の工程。
【請求項１４】
患者における前記カンナビノイドの生物学的利用能は、前記生物学的利用能を高める作用物がない場合の前記患者における前記カンナビノイドの生物学的利用能の少なくとも約４．５倍である、請求項１２に記載の工程。
【請求項１５】
前記生物学的利用能を高める前記作用物は、オメガ６脂肪酸を含まない、請求項１２に記載の工程。
【請求項１６】
前記ｉｉ）のステップにおける脱水は、凍結乾燥である、請求項１２項に記載の工程。
【請求項１７】
親油性活性剤の味をマスクする作用物を含む、請求項１２項に記載の工程。
【請求項１８】
前記親油性活性剤の味をマスクする作用物は、脱脂粉乳である、請求項１７に記載の工程。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
第１の開始シンボルおよび第１の数のシンボルに関連付けられる第１の構成を受信し、前記第１の開始シンボルおよび前記第１の数のシンボルは、第１の探索空間に関連付けられており、
第２の開始シンボルおよび第２の数のシンボルに関連付けられる第２の構成を受信し、前記第２の開始シンボルおよび前記第２の数のシンボルは、第２の探索空間に関連付けられており、
前記第１の探索空間または前記第２の探索空間の少なくとも１つにおける物理ダウンリンク制御チャネル送信を監視し、前記物理ダウンリンク制御チャネル送信を監視するように構成されることは、前記第１の開始シンボルおよび前記第１の数のシンボルを、または前記第２の開始シンボルおよび前記第２の数のシンボルを監視するように構成されることを備え、
前記物理ダウンリンク制御チャネル送信に関連付けられるダウンリンク制御情報を判定する
ように構成されるプロセッサ
を備えたＷＴＲＵ。
【請求項２】
前記ダウンリンク制御情報は、リソースに関連付けられるシンボルアロケーションを備える、請求項１のＷＴＲＵ。
【請求項３】
前記第１の開始シンボルは、前記第１の探索空間に関連付けられる第１の直交周波数分割多重シンボルを含み、前記第２の開始シンボルは、前記第２の探索空間に関連付けられる第２の直交周波数分割多重シンボルを含む、請求項１のＷＴＲＵ。
【請求項４】
前記第１の探索空間は、共通探索空間に関連付けられており、前記第２の探索空間は、ＷＴＲＵ固有探索空間に関連付けられている、請求項１のＷＴＲＵ。
【請求項５】
前記ダウンリンク制御情報は、リソースに関連付けられるサブキャリア間隔を含む、請求項１のＷＴＲＵ。
【請求項６】
前記物理ダウンリンク制御チャネル送信は、低減された帯域幅に関連付けられる、請求項１のＷＴＲＵ。
【請求項７】
前記ダウンリンク制御情報は、ダウンリンクリソースまたはアップリンクリソースのためのアロケーションを備える、請求項１のＷＴＲＵ。
【請求項８】
前記プロセッサは、前記ダウンリンクリソースのためのアロケーションに関連付けられる物理ダウンリンク共有チャネル送信を受信し、または前記アップリンクリソースのためのアロケーションに関連付けられる物理アップリンク共有チャネル送信を送信する、請求項７のＷＴＲＵ。
【請求項９】
第１の開始シンボルおよび第１の数のシンボルに関連付けられる第１の構成を受信することであって、前記第１の開始シンボルおよび前記第１の数のシンボルは、第１の探索空間に関連付けられている、ことと、
第２の開始シンボルおよび第２の数のシンボルに関連付けられる第２の構成を受信することであって、前記第２の開始シンボルおよび前記第２の数のシンボルは、第２の探索空間に関連付けられている、ことと、
前記第１の探索空間または前記第２の探索空間の少なくとも１つにおける物理ダウンリンク制御チャネル送信を監視することであって、前記物理ダウンリンク制御チャネル送信を監視することは、前記第１の開始シンボルおよび前記第１の数のシンボルを、または前記第２の開始シンボルおよび前記第２の数のシンボルを監視することを備える、ことと、
前記物理ダウンリンク制御チャネル送信に関連付けられるダウンリンク制御情報を判定することと
を備える方法。
【請求項１０】
前記ダウンリンク制御情報は、リソースに関連付けられるシンボルアロケーションを備える、請求項９の方法。
【請求項１１】
前記第１の開始シンボルは、前記第１の探索空間に関連付けられる第１の直交周波数分割多重シンボルを含み、前記第２の開始シンボルは、前記第２の探索空間に関連付けられる第２の直交周波数分割多重シンボルを含む、請求項９の方法。
【請求項１２】
前記第１の探索空間は、共通探索空間に関連付けられており、前記第２の探索空間は、無線送受信ユニット固有探索空間に関連付けられている、請求項９の方法。
【請求項１３】
前記ダウンリンク制御情報は、リソースに関連付けられるサブキャリア間隔を含む、請求項９の方法。
【請求項１４】
前記ダウンリンク制御情報は、ダウンリンクリソースまたはアップリンクリソースのためのアロケーションを備える、請求項９の方法。
【請求項１５】
前記ダウンリンクリソースのためのアロケーションに関連付けられる物理ダウンリンク共有チャネル送信を受信すること、または前記アップリンクリソースのためのアロケーションに関連付けられる物理アップリンク共有チャネル送信を送信することを備える、請求項１４の方法。
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
ユーザ機器（１０２）により実行される、制御信号送信のための方法（２００）であっ
て、
あるサブフレームについて、送信セグメントの複数のインスタンスからなるマルチセグ
メントサブフレームフォーマット（２２）の代わりに、単一の送信セグメントからなるシ
ングルセグメントサブフレームフォーマット（２１）をアップリンク送信フォーマットと
して選択すること（２０２）と、
前記シングルセグメントサブフレームフォーマットを用いて、アップリンク制御チャネ
ル上で１つ以上の制御信号を送信すること（２０４）と、
を含む方法。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
画像処理装置であって、
当該画像処理装置において実行されるジョブを当該画像処理装置と接続される装置から受信する受信手段と、
ユーザの操作によって当該画像処理装置に入力された情報に基づいて、前記ユーザの認証を行う認証手段と、
前記認証手段によってユーザが認証された場合に、前記受信手段により受信されたジョブのうち当該ユーザに対応するジョブを実行するための第１のアイコン画像が含まれる画面を表示する表示手段と、
前記画面に表示された前記第１のアイコン画像に対するユーザ操作を受け付けたことに応じて、前記ジョブの実行を開始させるジョブ制御手段と、
を備える画像処理装置。
【請求項２】
前記表示手段は、
前記認証手段によって前記ユーザが認証されたことに応じて、当該ユーザに対応する前記第１のアイコン画像が含まれる画面を表示する請求項１に記載の画像処理装置。
【請求項３】
前記受信手段は、
当該画像処理装置において実行される印刷ジョブを当該画像処理装置と接続される端末装置から受信する請求項１又は２に記載の画像処理装置。
【請求項４】
前記表示手段は、
前記受信手段により受信された前記ジョブに関する情報を示す数字を含む前記第１のアイコン画像が含まれる画面を表示する請求項１乃至請求項３の何れか一項に記載の画像処理装置。
【請求項５】
前記表示手段は、
前記受信手段により受信された前記ジョブの部数及びページ数のうち少なくとも１つ情報を示す数字を含む前記第１のアイコン画像が含まれる画面を表示する請求項４に記載の画像処理装置。
【請求項６】
前記表示手段は、
前記受信手段により前記ジョブが前記装置から受信されたことに応じて登録された前記第１のアイコン画像が含まれる画面を表示する請求項１乃至請求項５の何れか一項に記載の画像処理装置。
【請求項７】
前記表示手段は、
前記受信手段により前記装置から受信された前記ジョブに対応する前記第１のアイコン画像が含まれる画面を表示し、
前記ジョブ制御手段は、
前記画面に表示された前記第１のアイコン画像に対するユーザ操作を受け付けたことに応じて、前記第１のアイコン画像に対応する前記ジョブの実行を開始させる請求項１乃至請求項６の何れか一項に記載の画像処理装置。
【請求項８】
前記画像処理装置は、１以上のアプリケーションを有し、
前記受信手段は、前記アプリケーションのジョブを前記装置から受信し、
前記表示手段は、前記アプリケーションのジョブを実行するための前記第１のアイコン画像と、前記アプリケーションの機能を実行するための第２のアイコン画像とが含まれる前記画面を表示する請求項１乃至請求項７の何れか一項に記載の画像処理装置。
【請求項９】
前記表示手段は、
前記アプリケーションの操作画面を表示させるための前記第２のアイコン画像が含まれる前記画面を表示する請求項８に記載の画像処理装置。
【請求項１０】
前記ジョブ制御手段は、
前記アプリケーションの操作画面を表示せずに、前記アプリケーションの前記ジョブの実行を開始させる請求項８又は９に記載の画像処理装置。
【請求項１１】
受信手段と、認証手段と、表示手段と、ジョブ制御手段とを備える画像処理装置のジョブ制御方法であって、
当該画像処理装置において実行されるジョブを当該画像処理装置と接続される装置から受信する受信ステップと、
ユーザの操作によって当該画像処理装置に入力された情報に基づいて、前記ユーザの認証を行う認証ステップと、
前記認証ステップによってユーザが認証された場合に、前記受信手段により受信されたジョブのうち当該ユーザに対応するジョブを実行するための第１のアイコン画像が含まれる画面を表示する表示ステップと、
前記画面に表示された前記第１のアイコン画像に対するユーザ操作を受け付けたことに応じて、前記ジョブの実行を開始させるジョブ制御ステップと、
を備える画像処理装置のジョブ制御方法。
【請求項１２】
表示部を有する画像処理装置において実行されるジョブを当該画像処理装置と接続される装置から受信する受信手段と、ユーザの操作によって当該画像処理装置に入力された情報に基づいて前記ユーザの認証を行う認証手段と、前記ジョブの実行を制御するジョブ制御手段とを備える画像処理装置に実行させるための表示制御プログラムであって、
前記認証手段によって前記ユーザが認証された場合に、前記受信手段により受信されたジョブのうち当該ユーザに対応するジョブを実行するための第１のアイコン画像が含まれる画面を前記表示部に表示させる表示制御ステップ、を有し、
前記ジョブ制御手段は、前記表示制御ステップにおいて表示された前記画面に含まれる前記第１のアイコン画像に対するユーザ操作を受け付けたことに応じて、前記ジョブの実行を開始させるものである、表示制御プログラム。
【手続補正２】
【補正対象書類名】明細書
【補正対象項目名】発明の名称
【補正方法】変更
【補正の内容】
【発明の名称】画像処理装置、ジョブ制御方法及び表示制御プログラム
【手続補正３】
【補正対象書類名】明細書
【補正対象項目名】０００１
【補正方法】変更
【補正の内容】
【０００１】
本発明は、アプリケーションを呼び出すためのショートカットを含む操作画面を表示する画像処理装置、ジョブ制御方法及び表示制御プログラムに関する。
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
第1の周波数帯域を設定する設定部と、
前記第１の周波数帯域を示す制御情報をSIB（System Information Block）で送信する送信機と、を具備し、
前記第１の周波数帯域は、第１のオフセット、及び、前記第１のオフセットからの差分を示す第２のオフセットを用いて決定され、
前記制御情報は、前記第２のオフセットを含む、
基地局。
【請求項２】
前記第１のオフセットは、帯域幅によって異なり、帯域幅が大きいほど前記第１のオフセットは大きい、
請求項１に記載の基地局。
【請求項３】
前記第１のオフセットは、RBG(Resource Block Group)サイズと等しい、
請求項１に記載の基地局。
【請求項４】
前記SIB以外の信号が割り当てられる第３の周波数帯域は、PDCCH（Physical Downlink Control Channel）を用いて決定される、
請求項１に記載の基地局。
【請求項５】
第１の周波数帯域を示す制御情報をSIB（System Information Block）で受信する受信機と、
前記第１の周波数帯域を設定する設定部と、
を具備し、
前記第１の周波数帯域は、第１のオフセット、及び、前記第１のオフセットからの差分を示す第２のオフセットを用いて決定され、
前記制御情報は前記第２のオフセットを含む、
端末。
【請求項６】
第１の周波数帯域を設定し、
前記第１の周波数帯域を示す制御情報をSIB（System Information Block）で送信し、
前記第１の周波数帯域は、第１のオフセット、及び、前記第１のオフセットからの差分を示す第２のオフセットを用いて決定され、
前記制御情報は、前記第２のオフセットを含む、
通信方法。
【請求項７】
第１の周波数帯域を示す制御情報をSIB（System Information Block）で受信し、
前記第１の周波数帯域を設定し、
前記第１の周波数帯域は、第１のオフセット、及び、前記第１のオフセットからの差分を示す第２のオフセットを用いて決定され、
前記制御情報は、前記第２のオフセットを含む、
通信方法。